(57)【特許請求の範囲】
【請求項１】
洗浄タンク内部に配設したボールタップから該洗浄タンク内部のオーバーフロー管に補給水を導くための補給水管を延び出させて成る洗浄タンク装置において、
前記オーバーフロー管の上端部に前記補給水管の先端部を保持するホルダを装着するとともに、該ホルダには、該補給水管の先端部を、該補給水管からの補給水が該オーバーフロー管内に流入する位置に保持する第１ホルダ部と、該オーバーフロー管外であって前記洗浄タンク内部に流入する位置に保持する第２ホルダ部とを一体的に設けてあることを特徴とする洗浄タンク装置。
【請求項２】
請求項１において、前記第２ホルダ部は、前記補給水管から前記洗浄タンク内への給水位置を前記オーバーフロー管の上端よりも高位置とするものであることを特徴とする洗浄タンク装置。
【請求項３】
請求項１，２の何れかにおいて、前記ホルダには、前記オーバーフロー管の管壁上端部に弾性的に嵌る弾性クリップが設けてあることを特徴とする洗浄タンク装置。
【請求項４】
請求項１〜３の何れかにおいて、前記第１ホルダ部及び第２ホルダ部が筒状をなしており、且つ該第２ホルダ部の下端の開口が、前記オーバーフロー管の上端よりも高位置となしてあることを特徴とする洗浄タンク装置。
【請求項５】
請求項４において、前記第２ホルダ部の下端の開口の下側に、該開口から流出した補給水を自身を伝って流下させる案内部が設けてあることを特徴とする洗浄タンク装置。
【発明の詳細な説明】
【０００１】
【発明の属する技術分野】
この発明は便器の洗浄水を内部に収容し、排水弁を開いてその洗浄水を放出し、便器の洗浄を行う洗浄タンク装置に関し、詳しくはボールタップからオーバーフロー管に補給水を導くための補給水管を備えたものに関する。
【０００２】
【従来の技術】
従来より、この種洗浄タンク装置として図１０に示すようなものが用いられている。
同図において２００は洗浄タンクで、その上部に蓋を兼用した手洗鉢２０２が設けられている。この手洗鉢２０２からは手洗吐水管２０４が起立する形態で設けられている。
手洗吐水管２０４からの手洗水は手洗鉢２０２に落下した後、手洗鉢２０２の底部の排水孔を通じて洗浄タンク２００内部に落下する。
【０００３】
２０６は洗浄タンク２００内部に配設されたボールタップで、浮玉２０８の昇降に連動して給水及び給水停止を行う。
即ち、浮玉２０８が下降するとボールタップ２０６の弁部が開かれて吐水管２１０を通じ洗浄タンク２００内部に給水が行われる。
また一方洗浄タンク２００内部の水面の上昇につれて浮玉２０８が上昇し、そしてその水面が満水状態になると、ボールタップ２０６の弁部が閉じて給水を停止する。
【０００４】
このボールタップ２０６からはまた、蛇腹管から成る導水管（図示省略）が延び出していて、その先端部が手洗吐水管２０４に接続され、洗浄タンク２００への給水時に、併せてこの導水管を通じて手洗吐水管２０４への給水が行われる。
【０００５】
洗浄タンク２００の底部にはフロート弁（排水弁）２１４が設けられている。このフロート弁２１４は球状の弁体２１６と、弁座２１８とを有しており、その弁体２１６に対して、洗浄タンク２００の壁部２００Ａに設けられた洗浄ハンドル２２０と一体に回転するＬ字状の作用レバー２２２の先端部が、鎖２２４を介して連結されている。
而してこのフロート弁２１４は、洗浄ハンドル２２０が回転操作されると弁体２１６が弁座２１８から浮き上がって弁部を開放し、ここにおいて洗浄タンク２００内の洗浄水が排出口２２６を通じて便器に向け放出される。
【０００６】
この例においては、フロート弁２１４における弁体２１６の上側に水受カップ２２８が一体に昇降する状態で連設されている。
ここで水受カップ２２８は大洗浄及び小洗浄切替用のもので、この水受カップ２２８内部が空の状態の下では、弁体２１６が弁座２１８に着座して弁部を閉じるまでの時間が長く、従ってこの間に排出口２２６から洗浄水が大量に放出される。
【０００７】
一方水受カップ２２８内部に水が溜まった状態の下では、水受カップ２２８が錘としての作用をなし、これによって弁座２１８から浮き上がった状態の弁体２１６が速やかに下降して弁座２１８に着座する。従ってこの場合には洗浄水の放出量が少なくなる。
尚この水受カップ２２８は、オーバーフロー管２３０をガイドとして弁体２１６とともに昇降案内される。
【０００８】
この例の洗浄タンク装置においては、ボールタップ２０６から補給水管２３２が延び出しており、この補給水管２３２を通じてオーバーフロー管２３０内に補給水を導入できるようになしてある。
【０００９】
このようにボールタップ２０６からの水を補給水としてオーバーフロー管２３０内に導入するようになしているのは次のような理由による。
即ちサイホン式便器の場合には、洗浄タンク２００内に収容された洗浄水を放出して便器洗浄を行ったとき、便器の排水トラップ部分の溜水がサイホン現象によって一挙に下流側に排出される。
そこで次にオーバーフロー管２３０及び排出口２２６を通じて便器内部の排水トラップ部分に補給水を供給することで、排水トラップ部分での封水切れを防止するようになしているのである。
【００１０】
このことからすると、便器がサイホン式便器でない場合には上記のような補給水管２３２は不要であるとも考えられる。
しかしながら便器がサイホン式便器でない場合であっても、配管の状況その他現場の状況によっては便器の洗浄時にサイホン現象に似た現象が起って、排水トラップ部分で封水切れを起す場合があり、そこでこのような場合には補給水管２３２を通じてオーバーフロー管２３０内に補給水を導入し、封水切れを防止することが必要となる。
【００１１】
而してそのような封水切れが起るか否かは便器の設置現場によってまちまちであり、予めこれを予想しておくことができない。
そこで何れの洗浄タンク装置にも上記のような補給水管２３２を設けておき、現場においてそのようなサイホン現象に似た現象が起るような場合には、その補給水管２３２の先端部をオーバーフロー管２３０内部に挿入して、便器洗浄の際に補給水をオーバーフロー管２３０を通じて便器に給水するようにしている。
【００１２】
便器がサイホン式便器でない場合、当然ながらそのような補給水を給水する必要がない場合も多く、そこでそのような場合には補給水管２３２を通じて流れた水を洗浄タンク２００内部に給水することとなる。
【００１３】
この場合、補給水管２３２の先端部が洗浄タンク２００内部の洗浄水の水面中に入り込んでいると、場合によって洗浄タンク２００内部の水が補給水管２３２を通じて逆流する恐れが生じることから、そのような場合には、補給水管２３２の先端部を洗浄タンク２００内部の洗浄水の水面よりも高い位置に保持させておく必要がある。
【００１４】
そこで従来にあっては、ボールタップ２０６にホルダを設けて、そのホルダにて補給水管２３２の先端部を保持するようになしている。
尚、従来にあっては補給水管２３２からの補給水をオーバーフロー管２３０内部に流入させる場合には、図１１に示しているようにオーバーフロー管２３０の上端部にＳ字状の引掛具２３６を引っ掛けておき、そこに補給水管２３２の先端部を掛止することで、補給水管２３２の先端部をオーバーフロー管２３０内部に保持するようにしていた。
【００１５】
【発明が解決しようとする課題】
しかしながらこのようにした場合、補給水管２３２の先端部を保持するためにオーバーフロー管２３０の上端部に引掛具２３６を装着しておくとともに、図１２に示しているようにボールタップ２０６に別のホルダ２３４を装着しておくことが必要であって、補給水管２３２の保持のために２つの部材が必要であって、そのために洗浄タンク装置の部品点数が多くなり、ひいては洗浄タンク装置のコストが高くなるといった問題が生じていた。
【００１６】
【課題を解決するための手段】
本発明の洗浄タンク装置はこのような課題を解決するために案出されたものである。
而して請求項１のものは、洗浄タンク内部に配設したボールタップから該洗浄タンク内部のオーバーフロー管に補給水を導くための補給水管を延び出させて成る洗浄タンク装置において、前記オーバーフロー管の上端部に前記補給水管の先端部を保持するホルダを装着するとともに、該ホルダには、該補給水管の先端部を、該補給水管からの補給水が該オーバーフロー管内に流入する位置に保持する第１ホルダ部と、該オーバーフロー管外であって前記洗浄タンク内部に流入する位置に保持する第２ホルダ部とを一体的に設けてあることを特徴とする。
【００１７】
請求項２のものは、請求項１において、前記第２ホルダ部は、前記補給水管から前記洗浄タンク内への給水位置を前記オーバーフロー管の上端よりも高位置とするものであることを特徴とする。
【００１８】
請求項３のものは、請求項１，２の何れかにおいて、前記ホルダには、前記オーバーフロー管の管壁上端部に弾性的に嵌る弾性クリップが設けてあることを特徴とする。
【００１９】
請求項４のものは、請求項１〜３の何れかにおいて、前記第１ホルダ部及び第２ホルダ部が筒状をなしており、且つ該第２ホルダ部の下端の開口が、前記オーバーフロー管の上端よりも高位置となしてあることを特徴とする。
【００２０】
請求項５のものは、請求項４において、前記第２ホルダ部の下端の開口の下側に、該開口から流出した補給水を自身を伝って流下させる案内部が設けてあることを特徴とする。
【００２１】
【作用及び発明の効果】
上記のように本発明は、補給水管の先端部を保持するホルダをオーバーフロー管の上端部に装着し、そしてそのホルダに第１ホルダ部と第２ホルダ部とを一体的に設けて、その第１ホルダ部により補給水管の先端部を、その補給水管からの補給水がオーバーフロー管内に流入する位置に保持するようになし、また第２ホルダ部にて補給水管の先端部を、補給水が洗浄タンク内部に流入する位置に保持するようになしたもので、本発明によれば、従来必要であった図１１に示す引掛具２３６と図１２に示すホルダ２３４とを一つの部材として構成することができ、これにより洗浄タンク装置における必要部品点数を少なくし得て、そのコストを低減することができる。
【００２２】
請求項２のものは、第２ホルダ部が、補給水管から洗浄タンク内への給水位置をオーバーフロー管の上端よりも高位置とするようになしたもので、このようにしておけば、洗浄タンク内の水が誤って補給水管内に逆流してしまうのを防止することができる。
【００２３】
上記ホルダは、弾性クリップを設けておいてこれをオーバーフロー管の管壁上端部に嵌め合せるようになしておくことができる（請求項３）。
このようにしておけば簡単な操作でホルダをオーバーフロー管に装着作業することができる。
【００２４】
請求項４のものは、第１ホルダ部及び第２ホルダ部を筒状に形成してそれらに補給水管の先端部を嵌め込むようになすとともに、第２ホルダ部の下端の開口を、オーバーフロー管の上端よりも高位置となしたもので、このようにしておけば、補給水管の先端部を単に筒状の第１ホルダ部，第２ホルダ部に嵌め合せるだけでそれら第１ホルダ部，第２ホルダ部により補給水管の先端部を保持させるようになすことができる。
更にまた、第２ホルダ部の下端の開口がオーバーフロー管の上端よりも高位置となしてあるため、補給水管をオーバーフロー管の外に配置し、洗浄タンク内に直接給水させるようになした場合においても、洗浄タンク内の水が補給水管内に逆流するのを確実に防ぐことができる。
【００２５】
この場合において第２ホルダ部の下端の開口の下側に、その開口から流出した補給水を自身を伝って流下させる案内部を設けておくことができる（請求項５）。
このようにしておけば、その案内部によって消音作用をなさしめることができる。
【００２６】
【実施例】
次に本発明の実施例を図面に基づいて詳しく説明する。
図１及び図２において、１０は洗浄タンクで陶器製のアウタータンク１２と、その内側の樹脂製のインナータンク１４との二重タンク構造をなしている。
【００２７】
アウタータンク１２の上部には、その蓋を兼用した陶器製の手洗鉢１６が設けられており、この手洗鉢１６から手洗吐水管１８が起立する形態で設けられている。
手洗鉢１６の底部には排水孔２０が設けられており、手洗吐水管１８から手洗鉢１６に落下した水が、この排水孔２０から洗浄タンク１０内部へと落下する。
【００２８】
洗浄タンク１０の内部には、ボールタップ２２が配設されている。
このボールタップ２２は、弁部が連動アーム２４を介して浮玉２６に連結されており、浮玉２６の昇降によって弁部を開閉し、その弁部の開閉によって洗浄タンク１０内への給水及び給水停止を行う。
【００２９】
ここで浮玉２６における図２中上側の面、即ちインナータンク１４における後壁部１４Ａ側の面２６Ａは、その後壁部１４Ａの内面に沿った形状をなしており、その面２６Ａが後壁部１４Ａの内面に近接して位置させられている。
浮玉２６は、後壁部１４Ａと後壁部１４Ａ側の面２６Ａとをガイドとして昇降動作する。
【００３０】
図１に示しているように、ボールタップ２２には洗浄タンク１０内に給水を行うための吐水口２８が設けてあり、更にこのボールタップ２２からは手洗吐水管１８に給水を行うための蛇腹管から成る導水管３０が延び出していて、その先端部が手洗吐水管１８に差込接続されている。
【００３１】
洗浄タンク１０の底部には、フロート弁（排水弁）３２が配設されている。
このフロート弁３２は、球状の弁体３４と弁座３６とを有しており、その弁体３４が弁座３６から浮き上がることによって排出口３８を開放し、また弁体３４が弁座３６に着座することによって排出口３８を閉鎖する。
【００３２】
一方洗浄タンク１０の側壁部には、洗浄ハンドル４０が回転可能に取り付けられている。
この洗浄ハンドル４０からはＬ字状をなす作用レバー４２が、図２に示しているように洗浄タンク１０内部に延び出しており、その先端とフロート弁３２の弁体３４とが、図示を省略する鎖によって水受カップ４４を介し連結されている。
【００３３】
ここで水受カップ４４は、内部に水を溜めたり或いは空にすることによって大洗浄と小洗浄とを切り替える作用をなすもので、弁体３４と一体に昇降するようになっている。
図１に示しているようにこの水受カップ４４には円筒部４６が設けられていて、その円筒部４６がオーバーフロー管４８に上下摺動可能に外嵌されている。
水受カップ４４及び弁体３４は、これら円筒部４６及びオーバーフロー管４８の案内の下に昇降する。
【００３４】
尚、図１に示しているように洗浄タンク１０の底部にはオーバーフロー管４８内部と排出口３８とを連通させる連通路５０が形成されており、オーバーフロー管４８からの水は、この連通路５０を経由して排出口３８から排出される。
【００３５】
図１及び図２に示しているように、ボールタップ２２からは補給水をオーバーフロー管４８内部に給水するための補給水管５２が延び出している。
一方オーバーフロー管４８の上端部には、図３〜図６に示しているように補給水管５２の先端部を保持するホルダ５４が装着されている。
ホルダ５４は本例では樹脂製の部材であって、弾性クリップ５６と、それぞれ筒状をなす第１ホルダ部５８，第２ホルダ部６０とを一体に有している。
【００３６】
弾性クリップ５６は、円管状をなすオーバーフロー管４８の内外両面に沿って回曲する形状をなし、それぞれオーバーフロー管４８の内面と外面とに位置してオーバーフロー管４８の上端部を内外両側から挟持する弾性挟持片６２，６４と、それらを上端部で連結する連結部６６とを有しており、この弾性クリップ５６がオーバーフロー管４８の上端部に下向きに差し込まれることで、ホルダ５４全体がオーバーフロー管４８の上端部に装着される。
【００３７】
一方第１ホルダ部５８及び第２ホルダ部６０は、それぞれ上記補給水管５２の先端部に嵌り合ってこれを保持するものであり、そして第１ホルダ部５８が補給水管５２からの補給水をオーバーフロー管４８内部に給水する位置に、また第２ホルダ部６０が補給水管５２からの補給水をオーバーフロー管４８の外部であって、洗浄タンク１０内部に給水する位置にそれぞれ配置されている。
【００３８】
ここで第２ホルダ部６０は、図６，図７（Ｂ）及び（Ｃ）に示しているようにその下端の開口６０Ａが、第１ホルダ部５８の下端の開口５８Ａよりも高位置とされている。
即ち、第２ホルダ部６０の下端の開口６０Ａがオーバーフロー管４８の上端よりも高位置であり、従って洗浄タンク１０内の満水状態の洗浄水の水面との間で絶縁されており、誤って洗浄タンク１０内の洗浄水が第２ホルダ部６０を通じて補給水管５２内に逆流しないように配慮されている。
【００３９】
図４〜図７に示しているように、第２ホルダ部６０の下側にはほぼ垂直に立ち下がる板状の案内片（案内部）６８が形成されている。
この案内片６８は、第２ホルダ部６０の下端の開口６０Ａから流下した水を自身に沿って流下させて、静かに洗浄タンク１０内部に流入させ、以って消音作用をなすものである。
【００４０】
ホルダ５４は、この案内片６８の下端部に続いて筒状（この例では四角筒状）の嵌合部７０を一体に有している。
この嵌合部７０は、図４，図５及び図８に示しているようにインナータンク１４に設けた凹陥部７２の底部から立ち上がる棒状の爪７４に嵌合して、オーバーフロー管４８の上端部をインナータンク１４に固定し、オーバーフロー管４８のぐらつきを防止する作用をなす。
【００４１】
本例の洗浄タンク装置にあっては、図１〜図３に示しているように、補給水管５２の先端部をホルダ５４における第１ホルダ部５８に嵌め合せておくことで、即ち第１ホルダ部５８により補給水管５２の先端部を保持しておくことで、ボールタップ２２から流出した補給水を、補給水管５２を通じオーバーフロー管４８内に流入させることができる。
【００４２】
また一方、補給水管５２の先端部を図９に示しているように第２ホルダ部６０に嵌め込んでおくことで、即ち第２ホルダ部６０により補給水管５２の先端部を保持しておくことで、ボールタップ２２からの補給水を、補給水管５２を通じオーバーフロー管４８外部且つ洗浄タンク１０内部に給水することができる。
【００４３】
このとき補給水管５２から流出した補給水は、第２ホルダ部６０の下端の開口６０Ａより流出した後、案内片６８に沿って静かに流れ落ちる。
【００４４】
上記のような本例の洗浄タンク装置では、図１１に示す従来の引掛具２３６と図１２に示すホルダ２３４とを一つの部材として構成していることから、洗浄タンク装置における必要部品点数を少なくし得て、そのコストを低減することができる。
【００４５】
また本例では弾性クリップ５６をオーバーフロー管４８の管壁上端部に嵌め合せることで簡単にホルダ５４をオーバーフロー管４８に装着することができる。
【００４６】
以上本発明の実施例を詳述したがこれはあくまで一例示であり、本発明はその主旨を逸脱しない範囲において種々変更を加えた形態で構成可能である。
【図面の簡単な説明】
【図１】本発明の一実施例である洗浄タンク装置を示す正面断面図である。
【図２】同じ実施例の洗浄タンク装置の平面図である。
【図３】同じ実施例の洗浄タンク装置の要部側面図である。
【図４】同じ実施例の洗浄タンク装置におけるホルダとその周辺部を示す斜視図である。
【図５】図４のホルダをオーバーフロー管から取り外した状態で示す斜視図である。
【図６】図４及び図５のホルダをオーバーフロー管に装着した状態で周辺部とともに示す断面図である。
【図７】図４〜図６のホルダの構成を示す図である。
【図８】図４〜図７のホルダをオーバーフロー管から取り外した状態で補給水管とともに示す図である。
【図９】同じ実施例の補給水管をホルダの第２ホルダ部に嵌め合せた状態を示す平面図である。
【図１０】従来の洗浄タンク装置を示す正面断面図である。
【図１１】図１０のオーバーフロー管の上端部と周辺部を示す図である。
【図１２】図１０のボールタップとその周辺部を示す図である。
【符号の説明】
１０  洗浄タンク
２２  ボールタップ
４８  オーバーフロー管
５２  補給水管
５４  ホルダ
５６  弾性クリップ
５８  第1ホルダ部
６０  第2ホルダ部
６０Ａ  開口
６８  案内片（案内部）
【図１】
0003652601.tif 000002
【図２】
0003652601.tif 000003
【図３】
0003652601.tif 000004
【図４】
0003652601.tif 000005
【図５】
0003652601.tif 000006
【図６】
0003652601.tif 000007
【図７】
0003652601.tif 000008
【図８】
0003652601.tif 000009
【図９】
0003652601.tif 000010
【図１０】
0003652601.tif 000011
【図１１】
0003652601.tif 000012
【図１２】
0003652601.tif 000013